【手続補正書】
【提出日】平成19年8月2日(2007.8.2)
【手続補正１】
【補正対象書類名】明細書
【補正対象項目名】特許請求の範囲
【補正方法】変更
【補正の内容】
【特許請求の範囲】
【請求項１】
他のストレージシステムに接続可能であり、ホストコンピュータの外部に存在するストレージシステムであって、
第１のグループに割当てられ、前記他のストレージシステムの有する複数の第１の論理ボリュームに記憶されるデータに対応し更新順序の守られる複数の複製データを記憶する複数の第１の副論理ボリュームと、
前記複数の第１の副論理ボリュームのうちの少なくとも一つの第１の副論理ボリュームに対応し前記他のストレージシステムから受信する複数のジャーナルデータを記憶する、前記第１のグループに関連付けられる少なくとも一つの第１のジャーナルボリュームと、
第２のグループに割当てられ、前記他のストレージシステムの有する複数の第１の論理ボリュームに記憶されるデータに対応し更新順序の守られる複数の複製データを記憶する複数の第２の副論理ボリュームと、
前記複数の第２の副論理ボリュームのうちの少なくとも一つの第２の副論理ボリュームに対応し前記他のストレージシステムから受信する複数のジャーナルデータを記憶する、前記第２のグループに関連付けられる少なくとも一つの第２のジャーナルボリュームと、
を有することを特徴とするストレージシステム。
【請求項２】
ホストコンピュータに接続される他のストレージシステムに接続可能なストレージシステムであって、
更新順序に従って複数の複製データの書込みが行われる第１のグループに割当てられ、前記他のストレージシステムの有する複数の第１の論理ボリュームに記憶されるデータに対応する複数の複製データを記憶する複数の第１の副論理ボリュームと、
前記第１のグループに割当てられ、前記複数の第１の副論理ボリュームのうち少なくとも一つの第１の副論理ボリュームに記憶される複製データに対応し、前記他のストレージシステムから送信されるジャーナルデータを記憶する少なくとも一つの第１のジャーナルボリュームと、
更新順序に従って複数の複製データの書込みが行われる第２のグループに割当てられ、前記他のストレージシステムの有する複数の第２の論理ボリュームに記憶されるデータに対応する複数の複製データを記憶する複数の第２の副論理ボリュームと、
前記第２のグループに割当てられ、前記複数の第２の副論理ボリュームのうち少なくとも一つの第２の副論理ボリュームに記憶される複製データに対応し、前記他のストレージシステムから送信されるジャーナルデータを記憶する少なくとも一つの第２のジャーナルボリュームと、
を有することを特徴とするストレージシステム。
【請求項３】
ホストコンピュータに接続される他のストレージシステムに接続可能なストレージシステムであって、
前記他のストレージシステムが有する複数の第１の論理ボリュームに記憶されるデータに対応し、前記他のストレージシステムから受信する複数のジャーナルデータを記憶する少なくとも一つの第１のジャーナルボリュームと、
前記第１のジャーナルボリュームに記憶される複数のジャーナルデータに対応する複数の複製データを記憶する複数の第１の副論理ボリュームと、
前記他のストレージシステムから受信する複数のジャーナルデータを記憶する少なくとも一つの第２のジャーナルボリュームと、
前記第２のジャーナルボリュームに記憶される複数のジャーナルデータと対応し、前記他のストレージシステムの有する複数の第２の論理ボリュームに記憶されるデータと対応する複数の複製データを記憶する複数の第２の副論理ボリュームと、を有し、
前記複数の第１の副論理ボリュームは、前記複数の第１の副論理ボリュームに記憶される前記複数の複製データのコンシステンシーが維持される第１のグループに割当てられるものであり、
前記複数の第２の副論理ボリュームは、前記複数の第２の副論理ボリュームに記憶される前記複数の複製データのコンシステンシーが維持される第１のグループに割当てられるものである
ことを特徴とするストレージシステム。
【請求項４】
請求項１乃至３のいずれかに記載のストレージシステムであって、
前記第１のジャーナルボリュームは、複数のディスクドライブの少なくとも一部に対応付けられる
ことを特徴とするストレージシステム。
【請求項５】
請求項１乃至４のいずれかに記載のストレージシステムであって、
前記第２のジャーナルボリュームは、複数のディスクドライブの少なくとも一部に対応付けられる
ことを特徴とするストレージシステム。
【請求項６】
請求項１乃至５のいずれかに記載のストレージシステムであって、
前記第１のジャーナルボリュームに記憶される複数のジャーナルデータの各々は、前記第１のグループに関する情報を含む
ことを特徴とするストレージシステム。
【請求項７】
請求項１乃至６のいずれかに記載のストレージシステムであって、
前記第１のジャーナルボリュームに記憶される複数のジャーナルデータの各々は、前記第１のグループにおける更新順序に関する情報を含む
ことを特徴とするストレージシステム。
【請求項８】
請求項１乃至７のいずれかに記載のストレージシステムであって、
前記第１のジャーナルボリュームに記憶される複数のジャーナルデータの各々は、前記第１のグループにおける更新順序と複製データとに関する情報を含み、
前記第２のジャーナルボリュームに記憶される複数のジャーナルデータの各々は、前記第２のグループにおける更新順序と複製データとに関する情報を含む
ことを特徴とするストレージシステム。
【請求項９】
請求項１乃至８のいずれかに記載のストレージシステムであって、
前記第１のジャーナルボリュームに記憶される最古のジャーナルデータは、前記第１のジャーナルボリュームから読み出され、
前記第１のジャーナルボリュームに記憶される前記最古のジャーナルデータと対応する複製データは、前記複数の第１の副論理ボリュームに書込まれる
ことを特徴とするストレージシステム。
【請求項１０】
請求項１乃至９のいずれかに記載のストレージシステムであって、
前記第２のジャーナルボリュームに記憶される最古のジャーナルデータは、前記第２のジャーナルボリュームから読み出され、
前記第２のジャーナルボリュームに記憶される前記最古のジャーナルデータと対応する複製データは、前記複数の第２の副論理ボリュームに書込まれる
ことを特徴とするストレージシステム。
【請求項１１】
請求項１乃至８のいずれかに記載のストレージシステムであって、
さらに、前記第１のジャーナルボリュームおよび前記第２のジャーナルボリュームに接続される制御部を有し、
前記制御部は、
前記第１のジャーナルボリュームに記憶される最古のジャーナルデータを前記第１のジャーナルボリュームから読出し、
前記第１のジャーナルボリュームに記憶される前記最古のジャーナルデータに対応する複製データを前記複数の第１の副論理ボリュームのうちの少なくとも一つの副論理ボリュームに記憶させ、
前記第１のジャーナルボリュームに記憶される前記最古のジャーナルデータに対応する複製データを前記複数の第１の副論理ボリュームのうちの少なくとも一つの副論理ボリュームに記憶させた後に、前記第１のジャーナルボリュームのうちの前記最古のジャーナルデータが記憶されていた記憶領域を解放するように制御し、
前記第２のジャーナルボリュームに記憶される最古のジャーナルデータを前記第２のジャーナルボリュームから読出し、
前記第２のジャーナルボリュームに記憶される前記最古のジャーナルデータに対応する複製データを前記複数の第２の副論理ボリュームのうちの少なくとも一つの副論理ボリュームに記憶させ、
前記第２のジャーナルボリュームに記憶される前記最古のジャーナルデータに対応する複製データを前記複数の第２の副論理ボリュームのうちの少なくとも一つの副論理ボリュームに記憶させた後に、前記第２のジャーナルボリュームのうちの前記最古のジャーナルデータが記憶されていた記憶領域を解放するように制御する
ことを特徴とするストレージシステム。
【請求項１２】
請求項１乃至１０のいずれかに記載のストレージシステムであって、
前記第１のジャーナルボリュームに記憶される最古のジャーナルデータは、前記第１のジャーナルボリュームから読出され、
前記第１のジャーナルボリュームに記憶される最古のジャーナルデータに対応する複製データは、前記複数の第１の副論理ボリュームの一つの副論理ボリュームに書込まれ、
前記第１のジャーナルボリュームの一部は、前記第１のジャーナルボリュームに記憶される最古のジャーナルデータに対応する複製データが前記複数の第１の副論理ボリュームのうちの少なくとも一つの副論理ボリュームに書込まれた後に解放され、
前記第２のジャーナルボリュームに記憶される最古のジャーナルデータは、前記第２のジャーナルボリュームから読出され、
前記第２のジャーナルボリュームに記憶される最古のジャーナルデータに対応する複製データは、前記複数の第２の副論理ボリュームのうちの一つの副論理ボリュームに書込まれ、
前記第２のジャーナルボリュームの一部は、前記第２のジャーナルボリュームに記憶される最古のジャーナルデータに対応する複製データが前記複数の第２の副論理ボリュームのうちの少なくとも一つの副論理ボリュームに書込まれた後に解放される
ことを特徴とするストレージシステム。
【請求項１３】
ストレージシステムの制御部であって、
ホストコンピュータに接続される他のストレージシステムに接続可能な少なくとも一つの第１のポートと、複数の第１の副論理ボリュームと少なくともひとつの第１のジャーナルデータボリュームと複数の第２の副論理ボリュームと少なくとも一つの第２のジャーナルボリュームとに接続可能な少なくとも一つの第２のポートと、を有し、
前記複数の第１の論理ボリュームは、第１のグループに割当てられ、前記他のストレージシステムの有する複数の第１の論理ボリュームに記憶されるデータに対応する複数の複製データを更新順序を守って記憶し、
前記第１のジャーナルボリュームは、前記第１のグループと関連付けられ、前記複数の第１の副論理ボリュームのうちの少なくとも一つの第１の副論理ボリュームに記憶される複数の複製データに対応し、前記他のストレージシステムから受信する複数のジャーナルデータを記憶し、
前記複数の第２の論理ボリュームは、第２のグループに割当てられ、前記他のストレージシステムの有する複数の第２の論理ボリュームに記憶されるデータに対応する複数の複製データを更新順序を守って記憶し、
前記第２のジャーナルボリュームは、前記第２のグループと関連付けられ、前記複数の第２の副論理ボリュームのうちの少なくとも一つの第２の副論理ボリュームに記憶される複数の複製データに対応し、前記他のストレージシステムから受信する複数のジャーナルデータを記憶する
ことを特徴とするストレージシステムの制御部。
【請求項１４】
ストレージシステムの制御部であって、
ホストコンピュータに接続される他のストレージシステムに接続可能な少なくとも一つの第１のポートと、複数の第１の副論理ボリュームと少なくともひとつの第１のジャーナルデータボリュームと複数の第２の副論理ボリュームと少なくとも一つの第２のジャーナルボリュームとに接続可能な少なくとも一つの第２のポートと、を有し、
前記複数の第１の論理ボリュームは、更新順序に従って複数の複製データの書込みが行われる第１のグループに割当てられ、前記他のストレージシステムの有する複数の第１の論理ボリュームに記憶されるデータに対応する複数の複製データを記憶し、
前記少なくとも一つの第１のジャーナルボリュームは、前記第１のグループに割当てられ、前記複数の第１の副論理ボリュームのうち少なくとも一つの第１の副論理ボリュームに記憶される複製データに対応し、前記他のストレージシステムから送信されるジャーナルデータを記憶し、
前記複数の第２の論理ボリュームは、更新順序に従って複数の複製データの書込みが行われる第２のグループに割当てられ、前記他のストレージシステムの有する複数の第２の論理ボリュームに記憶されるデータに対応する複数の複製データを記憶し、
前記少なくとも一つの第２のジャーナルボリュームは、前記第２のグループに割当てられ、前記複数の第２の副論理ボリュームのうち少なくとも一つの第２の副論理ボリュームに記憶される複製データに対応し、前記他のストレージシステムから送信されるジャーナルデータを記憶する
ことを特徴とするストレージシステムの制御部。
【請求項１５】
ストレージシステムの制御部であって、
ホストコンピュータと接続される他のストレージシステムと接続可能であり、
プログラムを有し、
前記プログラムは、
前記他のストレージシステムの複数の第１の論理ボリュームに記憶される少なくとも一つのデータに対応し、前記他のストレージシステムから受信する少なくとも一つのジャーナルデータを少なくとも一つの第１のジャーナルボリュームに転送し、
前記第１のジャーナルボリュームへ転送した前記ジャーナルデータを前記第１のジャーナルボリュームから読出し、
前記第１のジャーナルボリュームから読み出した前記ジャーナルデータに対応する複製データを、グループ内で更新順序を守ってデータが複製される第１のコンシステンシグループに割当てられる少なくとも一つの第１の副論理ボリュームへ転送する処理と、
前記他のストレージシステムの複数の第２の論理ボリュームに記憶される少なくとも一つのデータに対応し、前記他のストレージシステムから受信する少なくとも一つのジャーナルデータを少なくとも一つの第２のジャーナルボリュームに転送し、
前記第２のジャーナルボリュームへ転送した前記ジャーナルデータを前記第２のジャーナルボリュームから読出し、
前記第２のジャーナルボリュームから読み出した前記ジャーナルデータに対応する複製データを、グループ内で更新順序を守ってデータが複製される第２のコンシステンシグループに割当てられる少なくとも一つの第２の副論理ボリュームへ転送する処理を実行させる処理を前記ストレージシステムの制御部に実行させる
ことを特徴とするストレージシステムの制御部。
【請求項１６】
請求項１３乃至１５のいずれかに記載のストレージシステムの制御部であって、
前記第１のジャーナルボリュームは、複数のディスクドライブの少なくとも一部に対応付けられる
ことを特徴とするストレージシステムの制御部。
【請求項１７】
請求項１３乃至１６のいずれかに記載のストレージシステムの制御部であって、
前記第２のジャーナルボリュームは、複数のディスクドライブの少なくとも一部に対応付けられる
ことを特徴とするストレージシステムの制御部。
【請求項１８】
請求項１３乃至１７のいずれかに記載のストレージシステムの制御部であって、
前記第１のジャーナルボリュームに記憶される複数のジャーナルデータは、前記第１のグループに関する情報を含む
ことを特徴とするストレージシステムの制御部。
【請求項１９】
請求項１３乃至１８のいずれかに記載のストレージシステムの制御部であって、
前記第１のジャーナルボリュームに記憶される複数のジャーナルデータは、前記第１のグループにおける更新順序に関する情報を含む
ことを特徴とするストレージシステムの制御部。
【請求項２０】
請求項１３乃至１９のいずれかに記載のストレージシステムの制御部であって、
前記第１のジャーナルボリュームに記憶される複数のジャーナルデータは、前記第１のグループにおける更新順序と複製データとに関する情報を含み、
前記第２のジャーナルボリュームに記憶される複数のジャーナルデータは、前記第２のグループにおける更新順序と複製データとに関する情報を含む
ことを特徴とするストレージシステムの制御部。
【請求項２１】
請求項１３乃至２０のいずれかに記載のストレージシステムの制御部であって、
前記第１のジャーナルボリュームに記憶される最古のジャーナルデータは、前記第１のジャーナルボリュームから読み出され、
前記第１のジャーナルボリュームに記憶される前記最古のジャーナルデータと対応する複製データは、前記複数の第１の副論理ボリュームに書込まれる
ことを特徴とするストレージシステムの制御部。
【請求項２２】
請求項１３乃至２１のいずれかに記載のストレージシステムの制御部であって、
前記第２のジャーナルボリュームに記憶される最古のジャーナルデータは、前記第２のジャーナルボリュームから読み出され、
前記第２のジャーナルボリュームに記憶される前記最古のジャーナルデータと対応する複製データは、前記複数の第２の副論理ボリュームに書込まれる
ことを特徴とするストレージシステムの制御部。
【請求項２３】
請求項１３乃至２０のいずれかに記載のストレージシステムの制御部であって、
前記第１のジャーナルボリュームに記憶される最古のジャーナルデータを前記第１のジャーナルボリュームから読出し、
前記第１のジャーナルボリュームに記憶される前記最古のジャーナルデータに対応する複製データを前記複数の第１の副論理ボリュームのうちの少なくとも一つの副論理ボリュームに記憶させ、
前記第１のジャーナルボリュームに記憶される前記最古のジャーナルデータに対応する複製データを前記複数の第１の副論理ボリュームのうちの少なくとも一つの副論理ボリュームに記憶させた後に、前記第１のジャーナルボリュームのうちの前記最古のジャーナルデータが記憶されていた記憶領域を解放するように制御し、
前記第２のジャーナルボリュームに記憶される最古のジャーナルデータを前記第２のジャーナルボリュームから読出し、
前記第２のジャーナルボリュームに記憶される前記最古のジャーナルデータに対応する複製データを前記複数の第２の副論理ボリュームのうちの少なくとも一つの副論理ボリュームに記憶させ、
前記第２のジャーナルボリュームに記憶される前記最古のジャーナルデータに対応する複製データを前記複数の第２の副論理ボリュームのうちの少なくとも一つの副論理ボリュームに記憶させた後に、前記第２のジャーナルボリュームのうちの前記最古のジャーナルデータが記憶されていた記憶領域を解放するように制御する
ことを特徴とするストレージシステムの制御部。
【請求項２４】
ストレージシステムの制御部のプログラムであって、
前記ストレージシステムの制御部は、ホストコンピュータに接続される他のストレージシステムに接続可能であり、
前記ストレージシステムの制御部のプログラムは、前記ストレージシステムの制御部に、
前記他のストレージシステムの複数の第１の論理ボリュームに記憶される少なくとも一つのデータに対応し、前記他のストレージシステムから受信する少なくとも一つのジャーナルデータを少なくとも一つの第１のジャーナルボリュームに転送し、
前記第１のジャーナルボリュームへ転送した前記ジャーナルデータを前記第１のジャーナルボリュームから読出し、
前記第１のジャーナルボリュームから読み出した前記ジャーナルデータに対応する複製データを、グループ内で更新順序を守ってデータが複製される第１のコンシステンシグループに割当てられる少なくとも一つの第１の副論理ボリュームへ転送する処理と、
前記他のストレージシステムの複数の第２の論理ボリュームに記憶される少なくとも一つのデータに対応し、前記他のストレージシステムから受信する少なくとも一つのジャーナルデータを少なくとも一つの第２のジャーナルボリュームに転送し、
前記第２のジャーナルボリュームへ転送した前記ジャーナルデータを前記第２のジャーナルボリュームから読出し、
前記第２のジャーナルボリュームから読み出した前記ジャーナルデータに対応する複製データを、グループ内で更新順序を守ってデータが複製される第２のコンシステンシグループに割当てられる少なくとも一つの第２の副論理ボリュームへ転送する処理を実行させるプログラムである
ことを特徴とするストレージシステムの制御部のプログラム。
【請求項２５】
請求項２４に記載のストレージシステムの制御部のプログラムであって、
前記第１のジャーナルボリュームは、複数のディスクドライブの少なくとも一部に対応付けられる
ことを特徴とするストレージシステムの制御部のプログラム。
【請求項２６】
請求項２４又は２５のいずれかに記載のストレージシステムの制御部のプログラムであって、
前記第２のジャーナルボリュームは、複数のディスクドライブの少なくとも一部に対応付けられる
ことを特徴とするストレージシステムの制御部のプログラム。
【請求項２７】
請求項２４乃至２６のいずれかに記載のストレージシステムの制御部のプログラムであって、
前記第１のジャーナルボリュームに記憶される複数のジャーナルデータの各々は、前記第１のグループに関する情報を含む
ことを特徴とするストレージシステムの制御部のプログラム。
【請求項２８】
請求項２４乃至２７のいずれかに記載のストレージシステムの制御部のプログラムであって、
前記第１のジャーナルボリュームに記憶される複数のジャーナルデータの各々は、前記第１のグループにおける更新順序に関する情報を含む
ことを特徴とするストレージシステムの制御部のプログラム。
【請求項２９】
請求項２４乃至２８のいずれかに記載のストレージシステムの制御部のプログラムであって、
前記第１のジャーナルボリュームに記憶される複数のジャーナルデータの各々は、前記第１のグループにおける更新順序と複製データとに関する情報を含み、
前記第２のジャーナルボリュームに記憶される複数のジャーナルデータの各々は、前記第２のグループにおける更新順序および複製データとに関する情報を含む
ことを特徴とするストレージシステムの制御部のプログラム。
【請求項３０】
請求項２４乃至２９のいずれかに記載のストレージシステムの制御部のプログラムであって、前記ストレージシステムの制御部に、
前記第１のジャーナルボリュームに記憶される最古のジャーナルデータは、前記第１のジャーナルボリュームから読み出し、
前記第１のジャーナルボリュームに記憶される前記最古のジャーナルデータと対応する複製データは、前記複数の第１の副論理ボリュームに書込む処理を実行させる
ことを特徴とするストレージシステムの制御部のプログラム。
【請求項３１】
請求項２４乃至３０のいずれかに記載のストレージシステムの制御部のプログラムであって、前記ストレージシステムの制御部に、
前記第２のジャーナルボリュームに記憶される最古のジャーナルデータは、前記第２のジャーナルボリュームから読み出し、
前記第２のジャーナルボリュームに記憶される前記最古のジャーナルデータと対応する複製データは、前記複数の第２の副論理ボリュームに書込む処理を実行させる
ことを特徴とするストレージシステムの制御部のプログラム。
【請求項３２】
請求項２４乃至２９のいずれかに記載のストレージシステムの制御部のプログラムであって、前記ストレージシステムの制御部に、
前記第１のジャーナルボリュームに記憶される最古のジャーナルデータを前記第１のジャーナルボリュームから読出し、
前記第１のジャーナルボリュームに記憶される前記最古のジャーナルデータに対応する複製データを前記複数の第１の副論理ボリュームのうちの少なくとも一つの副論理ボリュームに記憶させ、
前記第１のジャーナルボリュームに記憶される前記最古のジャーナルデータに対応する複製データを前記複数の第１の副論理ボリュームのうちの少なくとも一つの副論理ボリュームに記憶させた後に、前記第１のジャーナルボリュームのうちの前記最古のジャーナルデータが記憶されていた記憶領域を解放する処理と、
前記第２のジャーナルボリュームに記憶される最古のジャーナルデータを前記第２のジャーナルボリュームから読出し、
前記第２のジャーナルボリュームに記憶される前記最古のジャーナルデータに対応する複製データを前記複数の第２の副論理ボリュームのうちの少なくとも一つの副論理ボリュームに記憶させ、
前記第２のジャーナルボリュームに記憶される前記最古のジャーナルデータに対応する複製データを前記複数の第２の副論理ボリュームのうちの少なくとも一つの副論理ボリュームに記憶させた後に、前記第２のジャーナルボリュームのうちの前記最古のジャーナルデータが記憶されていた記憶領域を解放する処理を
実行することを特徴とするストレージシステムの制御部のプログラム。